(57)【要約】【課題】通電表示をより判り易くし、かつプリント基板上のスペースを有効に利用できる電気採暖具を提供することにある。【解決手段】電気採暖具本体に設けたコントローラー部５を有し、コントローラー部５は下ケース９と、下ケースに載置したプリント基板１０と、プリント基板上に配設された電源スイッチ１１と、下ケースに嵌合した上ケース８と、下ケースと上ケースの間に配設され、電源スイッチを操作する電源ツマミ６と、電源ツマミの下部に設けた電源ランプ１２とを備え、電源ツマミは通電表示のための電源ランプの光を通す開口部１３を有する構成としたものである。【選択図】  図２
2005024170.tif 000002
【特許請求の範囲】
【請求項１】
電気採暖具本体に設けたコントローラー部を有し、前記コントローラー部は下ケースと、前記下ケースに載置したプリント基板と、前記プリント基板上に配設された電源スイッチと、前記下ケースに嵌合した上ケースと、前記下ケースと上ケースの間に配設し、前記電源スイッチを操作する電源ツマミと、前記電源ツマミの下部に設けた電源ランプとを備え、前記電源ツマミは通電状態を表示するための前記電源ランプの光を通す開口部を有する構成とした電気採暖具。
【請求項２】
電源ツマミは半透過性とし、電源ランプの光を通す開口部を有する上ケースに嵌合させて配設してなる請求項１に記載の電気採暖具。
【請求項３】
電源ツマミは半透過性とし、電源ランプは前記電源ツマミの中心位置に光が当たる方向に傾けてなる請求項１または請求項２に記載の電気採暖具。
【請求項４】
上ケースの開口部に凸形状の透明板を配設してなる請求項２または請求項３に記載の電気採暖具。
【発明の詳細な説明】
【０００１】
【発明の属する技術分野】
本発明は、電気カーペット等の電気採暖具に関するものである。
【０００２】
【従来の技術】
従来のこの種電気カーペット等の電気採暖具は、一般的に通電状態で発熱する発熱体を表生地と裏生地との間に配設したカーペット本体と、このカーペット本体の通電時における温度制御を行うコントローラー部と、このコントローラー部の上ケースと下ケースとの間に電源ツマミ、温度調節ツマミ等とが配設されている（例えば、特許文献１参照）。
【０００３】
図６は特許文献１に記載された従来の電気採暖具のコントローラー部分の分解斜視図で、図７はコントローラー部分の要部拡大断面図を示すものである。コントローラー部には、上ケース８と下ケース９と、前記両ケースの間に電源ツマミ６が配設されている。電源ツマミ６は、プリント基板１０上に設けてある電源スイッチ１１を操作し、かつプリント基板１０上に設け、電源スイッチ１１の操作状態を表示する電源ランプ１２を内部下方に配置している。
【０００４】
しかしながら、従来の構成では通電状態を明確にするための電源ランプ１２が、電源ツマミ６近傍に設けられている場合には、電源ツマミ６、電源スイッチ１１の部品に干渉するため、電源ランプ１２が電源ツマミ６から少し離れた位置に配設されてしまうという問題を有していた。また、通電ランプ載置用のスペースをプリント基板１０上に新たに設ける必要があった。
【０００５】
また、通電表示方法で直接、電源ツマミを光らせる方式も考えられるが、図７に示すように構造が複雑になるとともに上ケース８と下ケース９からなるコントローラーケースの厚みが大きくなるという問題点を有していた。
【０００６】
【特許文献１】
特開平５−２７２７６８号公報
【０００７】
【発明が解決しようとする課題】
上記従来の技術の問題点に鑑み、本発明が解決しようとする課題は、通電表示をより判り易くし、かつプリント基板上のスペースを有効に利用できる電気採暖具を提供することにある。
【０００８】
【課題を解決するための手段】
上記課題を解決するために、本発明の電気採暖具は、電気採暖具本体に設けたコントローラー部を有し、前記コントローラー部は下ケースと、前記下ケースに載置したプリント基板と、前記プリント基板上に配設された電源スイッチと、前記下ケースに嵌合した上ケースと、前記下ケースと上ケースの間に配設し、前記電源スイッチを操作する電源ツマミと、前記電源ツマミの下部に設けた電源ランプとを備え、前記電源ツマミは通電状態を表示するための前記電源ランプの光を通す開口部を有する構成としたものである。これによって、電源ツマミの下部に電源ランプを配設することができ、より通電表示ランプの表示を明確にすることができ、また、通電ランプを電源ツマミ下部に配設することにより、プリント基板上のスペースを有効に利用できる。
【０００９】
【発明の実施の形態】
上記した本発明の課題は、各請求項に記載した構成を実施の形態とすることにより達成できるので、以下には各請求項の構成にその構成による作用効果を併記し併せて請求項記載のうち説明を必要とする特定用語については詳細な説明を加えて、本発明における実施の形態の説明とする。
【００１０】
請求項１記載に係る発明は、電気採暖具本体に設けたコントローラー部を有し、前記コントローラー部は下ケースと、前記下ケースに載置したプリント基板と、前記プリント基板上に配設された電源スイッチと、前記下ケースに嵌合した上ケースと、前記下ケースと上ケースの間に配設し、前記電源スイッチを操作する電源ツマミと、前記電源ツマミの下部に設けた電源ランプとを備え、前記電源ツマミは通電状態を表示するための前記電源ランプの光を通す開口部を有する構成としたことにより、電源ツマミの下部に電源ランプを配設することができ、より通電表示ランプの表示を明確にすることができ、また、通電ランプを電源ツマミ下部に配設することにより、プリント基板上のスペースを有効に利用できる。
【００１１】
請求項２記載に係る発明は、請求項１に記載の電源ツマミを半透過性とし、かつ電源ランプの光を通す開口部を有する上ケースに嵌合して配設することにより、電源ランプの光を電源ツマミに設けた開口部と上ケースの開口部を通して、直接、電源ツマミに当てることになり、電源ランプ部分の構造を簡素化することができ、また、コントローラーケースの厚みを薄くすることができる。
【００１２】
請求項３記載に係る発明は、請求項１または２記載の電源ツマミを半透過性とし、電源ランプを電源ツマミの中心位置に光が当たる方向に傾けることにより、電源ツマミの中心部に光を当てることが可能になり、電源ツマミをバランス良く光らせることができる。
【００１３】
請求項４記載に係る発明は、請求項２または３記載の上ケースの開口部に凸形状の透明板を配設することにより、透明板のレンズ効果により電源ツマミに光が集中することになり、電源ツマミをより効果的に光らせることができる。
【００１４】
【実施例】
以下、本発明の実施例について図面を用いて説明する。
【００１５】
（実施例１）
図１は本発明の実施例１における電気採暖具の要部の外観斜視図で、図２は同じく電気採暖具のコントローラー部分の断面図である。
【００１６】
図１、図２において、発熱体１と、発熱体１を間に配設した表面材２と裏面材３とで電気採暖具本体４を構成する。電気採暖具本体４は、その一隅に発熱体１への電力供給の通電制御及び温度制御とを行うコントローラー部５が配設されている。コントローラー部５は、一側部外に電源ツマミ６及び温度調節ツマミ７を配置している。前記コントローラー部５は上ケース８と上ケース８に嵌合した下ケース９とにより構成され、下ケース９の内底面にはプリント基板１０が載置されて固定され、プリント基板１０の一部の上面に電源スイッチ１１を有している。
【００１７】
電源ツマミ６は、上ケース８および下ケース９の嵌合した間に一部が位置して上ケース８の一部の側面外に配置し、かつ上ケース８の一部の側面に嵌合させた途中の凹部６ａに案内され、スライドすることで電源スイッチ１１を開閉する。また、電源ランプ１２は、電源スイッチ１１の通電状態を表示し、プリント基板１０上に位置する電源ツマミ６の下部においてプリント基板１０上に設けられている。開口部１３は、電源ランプ１２の光を通過させて上ケース８に設けた開口部としての電源ランプ表示窓１４に光が達するように、上ケース８及び下ケース９の嵌合した間に位置している電源ツマミ６の一部に設けている。
【００１８】
以上のように構成された電気採暖具について、以下その動作、作用を説明する。まず、電源ツマミ６のスライドによる入動作で電源スイッチ１１が作動し、電源ランプ１２が点灯する。そして、電源ランプ１２の光は、電源ツマミ６の開口部１３を通り、さらに上ケース８の電源ランプ表示窓１４を通して通電状態が視認される。
【００１９】
このように、本実施例においては、下ケース９と、下ケース９に載置したプリント基板１０と、プリント基板１０上に配設された電源スイッチ１１と、下ケース９と嵌合した上ケース８と、下ケース９と上ケース８の間に配設し、電源スイッチ１１を操作する電源ツマミ６と、電源ツマミ６の下部に設けた電源ランプ１２とを備え、電源ツマミ６は電源ランプ１２の光を通す開口部１３を有し、かつ電源ランプ１２上部の上ケース８に電源ランプ表示窓１４配設することにより、電源ランプ１２の通電表示を明確にすることができ、また、通電ランプ１２を電源ツマミ６の下部に配設することにより、プリント基板１０上のスペースを有効に利用できる。
【００２０】
（実施例２）
図３は本発明の実施例２における電気採暖具のコントローラー部分の断面図である。なお、実施例１と同一符号のものは、同一構造及び作用効果を有するので詳細な説明は省略し、異なるところを中心に説明する。
【００２１】
図３において、電源ツマミ６は半透過性の樹脂等により構成している。開口部１３は、電源ランプ表示窓１４に近接して電源ツマミ６の一部に設けている。開口部である電源ランプ表示窓１４は、電源ツマミ６が摺動する範囲の下側に位置する上ケース８の湾曲した側面に配設されている。
【００２２】
以上のように構成された電気採暖具について、以下その動作、作用を説明する。まず、電源ツマミ６のスライドによる入動作で電源スイッチ１１が作動し、電源ランプ１２が点灯する。電源ランプ１２の光は、電源ツマミ６の開口部１３を通り、上ケース８の電源ランプ表示窓１４に達し、そして半透過性の電源ツマミ６を裏側から照射し通電状態が視認される。
【００２３】
このように本実施例においては、半透過性の樹脂等により構成される電源ツマミ６を、電源ランプ表示窓１４を有する上ケース８に嵌合して配設することにより、電源ランプ１２の光を電源ツマミ６に設けた開口部１３と上ケース８の電源ランプ表示窓１４を通して、直接に電源ツマミ６に照射できることになり、電源ランプ部分の構造を簡素化することができ、また、上下のケースからなるコントローラーケースの厚みを薄くすることができる。
【００２４】
（実施例３）
図４は本発明の実施例３における電気採暖具のコントローラー部分の外観斜視図である。なお、実施例１及び２と同一符号のものは、同一構造及び作用効果を有するので詳細な説明は省略し、異なるところを中心に説明する。
【００２５】
図４において、電源ツマミ６は半透過性の樹脂等により構成している。電源ランプ１２は、電源ツマミ６の矢印で示すスライドにより電源入位置状態（１点鎖線で示す位置）における中心位置Ｐに向け傾けて配設されている。
【００２６】
以上のように構成された電気採暖具について、以下その動作、作用を説明する。上ケース８が有する電源ランプ表示窓１４の位置は、電源ツマミ６の電源入状態では、中心位置Ｐが電源ツマミ６とずれている。然るに、電源ランプ１２は電源ツマミ６の中心位置Ｐに向けて傾いているため、光が電源ツマミ６の中心部分を照射することになる。
【００２７】
このように本実施例においては、電源ランプ１２は電源ツマミ６の電源入位置状態の位置における中心位置に向け傾けて配設することにより、光を電源ツマミ６の中心位置に照射できることになり、電源ツマミ６をバランス良く光らせることができる。
【００２８】
（実施例４）
図５は本発明の実施例４における電気採暖具のコントローラー部分の断面図である。なお、実施例１から３と同一符号のものは、同一構造及び作用効果を有するので詳細な説明は省略し、異なるところを中心に説明する。
【００２９】
図５において、電源ツマミ６は半透過性の樹脂等により構成している。上ケース８に設けた電源ランプ表示窓１４には、レンズ効果を発揮する凸形状の透明板１５が配設されている。
【００３０】
以上のように構成された電気採暖具について、以下その動作、作用を説明する。上ケース８の電源ランプ表示窓１４に配設された凸形状の透明板１５は、下部に配設された電源ランプ１２の光を凸形状のレンズ効果で集めて電源ツマミ６に照射する。
【００３１】
このように本実施例においては、上ケース８に設けた電源ランプ表示窓１４に凸形状の透明板１５を配設することにより、下部に配設された電源ランプ１２の光をレンズ効果で集めて電源ツマミ６に照射することになり、電源ツマミをより効果的に光らせることができる。
【００３２】
【発明の効果】
以上のように本発明の電気採暖具によれば、プリント基板を有効に利用できるとともに、通電状態を明確に表示することができる。
【図面の簡単な説明】
【図１】本発明の実施例１における電気採暖具の要部の外観斜視図
【図２】同実施例１における電気採暖具のコントローラー部分の断面図
【図３】本発明の実施例２における電気採暖具のコントローラー部分の断面図
【図４】本発明の実施例３における電気採暖具のコントローラー部分の前面外観図
【図５】本発明の実施例４における電気採暖具のコントローラー部分の断面図
【図６】従来の電気採暖具のコントローラー部分の分解斜視図
【図７】従来の電気採暖具のコントローラー部分の断面図
【符号の説明】
４  電気採暖具本体
５  コントローラー部
６  電源ツマミ
８  上ケース
９  下ケース
１０  プリント基板
１１  電源スイッチ
１２  電源ランプ
１３  開口部
１４  電源ランプ表示窓（開口部）
１５  凸形状の透明板
【図１】
2005024170.tif 000003
【図２】
2005024170.tif 000004
【図３】
2005024170.tif 000005
【図４】
2005024170.tif 000006
【図５】
2005024170.tif 000007
【図６】
2005024170.tif 000008
【図７】
2005024170.tif 000009